(57)【要約】      （修正有）【課題】演奏者による演奏前後の手間を減らすと共に、演奏者による演奏時の負担を軽減できる金管楽器補助具を提供する。【解決手段】金管楽器補助具１０は、一端から他端側に向かって挿入穴２１ａがあけられたガイド部材２０と、先端側が露出して挿入穴に挿入されたロッド３０と、ガイド部材とロッドとを連結する連結部材４０と、ロッドの先端に回転可能に取り付けられる支持部材５０と、を有している。支持部材には、ロッドに取り付けられた状態でロッドの先端に対向する方向側から凹部６０があけられ、凹部の底部６１に金管楽器のシリンダ部が載置される載置部７０ａが設けられていると共に、載置部に載置されたシリンダ部を囲うように底部から立ち上がる凹部の内壁６２が形成されている。【選択図】図２
0003228598.tif 000002
【実用新案登録請求の範囲】
【請求項１】
シリンダ部を有する金管楽器による演奏を補助し、
第１方向に沿って延びていると共に、一端から他端側に向かって挿入穴があけられたガイド部材と、
先端側が露出して前記挿入穴に挿入され、前記第１方向に沿う移動により前記挿入穴に挿入された部位を前記ガイド部材から出し入れ可能であるロッドと、
前記ガイド部材と前記ロッドとを連結する連結部材と、
前記ロッドの前記先端に回転可能に取り付けられる支持部材と、
を有し、
前記支持部材には、前記ロッドに取り付けられた状態で前記ロッドの前記先端に対向する方向側から凹部があけられており、前記凹部内に前記シリンダ部が載置される載置部が設けられていると共に、前記載置部に載置された前記シリンダ部を囲うように前記凹部の底部から前記凹部の内壁が立ち上がっている
金管楽器補助具。
【請求項２】
前記支持部材には、前記凹部の前記底部を貫通する貫通穴があけられている
請求項１記載の金管楽器補助具。
【請求項３】
前記内壁は、前記凹部の開口に向かって内径が大きくなるよう傾斜し、前記開口に繋がっている
請求項１又は請求項２項記載の金管楽器補助具。
【請求項４】
前記内壁は、平面視において円形状に湾曲する湾曲面を複数有し、これら湾曲面が前記第１方向に直交する第２方向側に沿って繋がっている
請求項１〜請求項３のいずれか１項記載の金管楽器補助具。
【請求項５】
前記支持部材には、前記内壁における前記底部側の部位を周方向に沿って欠いた第１溝部が形成されていると共に、環状のゴム部材が前記第１溝部に嵌め込まれており、
前記載置部は、前記ゴム部材の表面に形成されている
請求項１〜請求項４のいずれか１項記載の金管楽器補助具。
【請求項６】
前記支持部材には、前記凹部の開口と前記第１溝部との間において、前記内壁を周方向に沿って欠いた第２溝部が形成されている
請求項５記載の金管楽器補助具。
【請求項７】
前記ガイド部材および前記ロッドは、それぞれ樹脂から構成されている
請求項１〜請求項６のいずれか１項記載の金管楽器補助具。
【請求項８】
前記連結部材は、
前記ガイド部材の先端に固定される第１部材と、
この第１部材に対向し前記ロッドに固定される第２部材と、
これら第１部材および第２部材に嵌め込まれ前記第１部材および前記第２部材を繋ぐと共に、前記第１方向に伸縮するばねと、
を有している請求項１〜請求項７のいずれか１項記載の金管楽器補助具。
【請求項９】
前記連結部材は、
前記ガイド部材の先端に固定される第１部材と、
この第１部材を前記ロッドに向かって付勢することにより、前記ロッドを前記ガイド部材に固定する第２部材と、
を有している請求項１〜請求項７のいずれか１項記載の金管楽器補助具。
【考案の詳細な説明】
【技術分野】
【０００１】
本開示は、金管楽器による演奏を補助する金管楽器補助具に関する。
【背景技術】
【０００２】
金管楽器（例えば、トランペット）の演奏においては、演奏者は、金管楽器を腕で支えながら金管楽器に接触させた唇を振動させる。唇を振動させることにより、金管楽器から音が発生する。加えて、演奏時においては、演奏者は、例えば、金管楽器から大きな音を発生させるために、演奏者は正しい姿勢を維持する必要がある。このため、演奏に際し多くのエネルギーが必要になる。
【０００３】
演奏時における演奏者の負担を軽減する器具として、特許文献１（小型金管楽器用安定化装置）が知られている。小型金管楽器用安定化装置は、アセンブリにより金管楽器を支持し、演奏者が支える金管楽器の重量を分散させる。アセンブリは、首に掛けられるストラップを介して演奏者の胸元に配置される。
【先行技術文献】
【特許文献】
【０００４】
【特許文献１】特表２００４−５０２９７６号公報
【考案の概要】
【考案が解決しようとする課題】
【０００５】
特許文献１においては、金管楽器の重量が演奏者に加わり、演奏者の負担を十分に軽減することが困難である。更に、ストラップの装着および脱着等が手間である。
【０００６】
本開示は、演奏者による演奏前後の手間を減らすと共に、演奏時の負担を軽減できる金管楽器補助具の提供を課題とする。
【課題を解決するための手段】
【０００７】
本開示の一態様にかかる金管楽器補助具は、シリンダ部を有する金管楽器による演奏を補助し、
第１方向に沿って延びていると共に、一端から他端側に向かって挿入穴があけられたガイド部材と、
先端側が露出して前記挿入穴に挿入され、前記第１方向に沿う移動により前記挿入穴に挿入された部位を前記ガイド部材から出し入れ可能であるロッドと、
前記ガイド部材と前記ロッドとを連結する連結部材と、
前記ロッドの前記先端に回転可能に取り付けられ、前記金管楽器の前記シリンダ部を支持する支持部材と、
を有し、
前記支持部材には、前記ロッドに取り付けられた状態で前記ロッドの前記先端に対向する方向側から凹部があけられており、前記凹部内に前記シリンダ部が載置される載置部が設けられていると共に、前記載置部に載置された前記シリンダ部を囲うように前記凹部の底部から前記凹部の内壁が立ち上がっている。
【０００８】
上記構成によれば、演奏者による演奏前後の手間を減らすと共に、演奏時の負担を軽減できる金管楽器補助具の提供ができる。
【図面の簡単な説明】
【０００９】
【図１】第１実施形態による金管楽器補助具により金管楽器を補助している図である。
【図２】図１に示された金管楽器補助具を第１方向に沿って見た断面図である。
【図３】図２に示された第２部材の分解斜視図である。
【図４】図４Ａは、図２に示された支持部材のIVＡ拡大図であり、図４Ｂは、図４Ａに示された第１溝部周辺のIVＢ拡大図である。
【図５】図４Ａに示されたV−V断面図である。
【図６】第２実施形態による金管楽器補助具である。
【図７】図６に示された連結部材の分解斜視図である。
【図８】第３実施形態による金管楽器補助具である。
【考案を実施するための形態】
【００１０】
本開示の実施形態を添付図を用いて以下説明する。前後左右上下の各方向は、図１を基準として、Ｆｒは前、Ｒｒは後、Ｌｅは左、Ｒｉは右、Ｕｐは上、Ｄｎは下を示している。尚、参照する各図面は模式的に示されており、細部が省略されていることもある。
【００１１】
本開示では、第１方向、第２方向および第３方向という表現が適宜用いられる。ここで、第１方向は上下方向（棒状の金管楽器補助具が延びる方向）をいい、第２方向は前後方向をいい、第３方向は左右方向をいう。
【００１２】
［第１実施形態］
（金管楽器補助具）
図１を参照する。金管楽器補助具１０は、例えば、演奏者Ｍｎの着座する着座部Ｃｈに置かれる。そして、金管楽器Ｉｎの音を調整するバルブを収容しているシリンダ部Ｃｙを金管楽器補助具１０の上端に配置する。これにより、金管楽器補助具１０は、金管楽器Ｉｎを支持すると共に、金管楽器Ｉｎの重量により着座部Ｃｈ側に付勢され安定して配置される。このような金管楽器補助具１０は、演奏者Ｍｎによる金管楽器Ｉｎの演奏を補助する。なお、図１に示す金管楽器Ｉｎは、複数（３つ）のシリンダ部Ｃｙによりバルブケーシングを構成するトランペットである。
【００１３】
図２を参照する。金管楽器補助具１０は、上下（第１方向Ｌ１）に延びる概略棒形状を呈すると共に、その長さを所定範囲内において自由に変えることができる構造になっている。上記所定範囲は、例えば、金管楽器補助具１０を子供用および大人用に区別する等して任意に設定できる。例えば、金管楽器補助具１０の変化可能な長さは、２５０ｍｍ〜８００ｍｍの範囲内で設定される。
【００１４】
図２に示されるように、金管楽器補助具１０は、複数の部品（部材）から構成される。複数の部品から構成される金管楽器補助具１０は、販売時において、その全体が組み立てられて市場に流通してもよいし、各部品の全部または一部が組み立てられずに市場へ流通してもよい。以下、金管楽器補助具１０について、これが組み立てられた態様において具体的な構成の説明をする。
【００１５】
金管楽器補助具１０は、第１方向Ｌ１（上下方向）に向かって挿入穴２１ａがあけられたガイド部材２０と、挿入穴２１ａに挿入されたロッド３０と、これらガイド部材２０およびロッド３０を連結している連結部材４０と、ロッド３０の上端に回転可能に取り付けられ金管楽器Ｉｎ（シリンダ部Ｃｙ）を支持する支持部材５０と、を有している。
【００１６】
（ガイド部材）
ガイド部材２０は、筒形状を呈し上下に延びるガイド部材本体部２１と、このガイド部材本体部２１の下端側に嵌め込まれたキャップ２２と、を有している。筒形状を呈するガイド部材本体部２１の内側には、挿入穴２１ａが形成されている。つまり、ガイド部材本体部２１は、棒形状を呈し、その一端（上端）から他端（下端）に向かって挿入穴２１ａがあけられた部材である、ということができる。
【００１７】
ガイド部材本体部２１の長さおよび外径は任意に設定される。ガイド部材本体部２１においては、例えば、上下の長さが２００ｍｍ〜４００ｍｍの範囲内に設定され、外径が１１．０ｍｍ〜３２．０ｍｍの範囲内に設定される。ガイド部材本体部２１にあけられた挿入穴２１ａの内径は、例えば、１０．０ｍｍ〜３０．０ｍｍの範囲内に設定される。挿入穴２１ａの内径は、ロッド３０の外径よりも大きい。
【００１８】
ガイド部材本体部２１の材質は、任意である。ガイド部材本体部２１の材質としては、樹脂または金属等を挙げることができる。樹脂としては、アクリル樹脂およびポリアセタール等を挙げることができる。金属としては、アルミニウムおよびステンレス等を挙げることができる。ガイド部材本体部２１（金管楽器補助具１０）の重量を軽くするという観点からガイド部材本体部２１の材質を樹脂としてもよいし、ガイド部材本体部２１の強度を向上させるという観点からガイド部材本体部２１の材質を金属としてもよい。
【００１９】
キャップ２２は、金管楽器補助具１０における、演奏者Ｍｎ（図１参照）の演奏時に着座部Ｃｈに当接する部位である。キャップ２２は、ゴム、樹脂又は金属等からなり、筒状を呈するガイド部材本体部２１の下端側の穴を塞いでいる。キャップ２２は、接着材によりガイド部材本体部２１に接合されていてもよいし、接着材を介さずガイド部材本体部２１に嵌め込まれているだけでもよい。キャップ２２には、金管楽器補助具１０の平面透視において、挿入穴２１ａと重なる部位を上下に貫通するキャップ穴２２ａがあけられている。なお、ガイド部材本体部２１およびキャップ２２がそれぞれ金属である場合、これらは溶接等により接合されていてもよい。
【００２０】
（ロッド）
ロッド３０は、上下に延びる棒形状を呈し、先端（上端）側が露出して挿入穴２１ａに挿入されている。ロッド３０は、上下方向（挿入穴２１ａがあけられた方向）に沿って移動自在であって、その移動により挿入穴２１ａに挿入された部位を挿入穴２１ａから出し入れ可能である。挿入穴２１ａに挿入された部位を挿入穴２１ａから出し入れすることにより、金管楽器補助具１０の上下方向における長さが調整される。
【００２１】
上下に移動自在なロッド３０は、連結部材４０によりガイド部材２０と連結されている。詳細は後述するが、連結部材４０を介してロッド３０とガイド部材２０とが連結されることにより、ロッド３０の挿入穴２１ａに沿った移動が制限される。具体的には、ロッド３０の挿入穴２１ａに沿った移動が所定範囲内（後述するばね４４の伸縮分）に制限される。
【００２２】
ロッド３０は、ロッド本体部３１と、このロッド本体部３１の先端に固定され支持部材５０を回転可能に支持するロッドホルダ３２と、を有している。ロッド本体部３１は、樹脂または金属からなる中実の部材であって、その後端側が挿入穴２１ａに挿入されていると共に先端側が挿入穴２１ａから露出している。ロッド本体部３１の材質が樹脂である場合、その樹脂にはアクリル樹脂およびポリアセタール等が採用される。一方、ロッド本体部３１の材質が金属である場合、その金属にはアルミニウムおよびステンレス等が採用される。また、ロッド本体部３１の上端側には、螺子穴があけられている。この螺子穴には、ロッドホルダ３２を固定している螺子が捻じ込まれている。
【００２３】
ロッドホルダ３２は、ロッド３０の上端側を構成し、回転する支持部材５０が当接することにより支持部材５０の回転範囲が制限されるストッパ機能を有している。支持部材５０の回転範囲は、例えば、上記ストッパ機能により３０〜１２０度に制限される。ロッドホルダ３２は、平板状を呈しストッパ機能を有するベース部３２ａと、ベース部３２ａの上面から上方に立ち上がった壁部３２ｂ、３２ｂと、を有している。ベース部３２ａには、上下（厚み方向）に貫通するホルダ貫通穴３２ｃがあけられている。ホルダ貫通穴３２ｃには、ロッドホルダ３２をロッド本体部３１に固定している螺子が通っている。螺子は、ロッド本体部３１に螺合されることによりロッドホルダ３２をロッド本体部３１に固定している。金管楽器補助具１０においては、壁部３２ｂ、３２ｂには上部を欠いた欠き部３２ｄ、３２ｄが形成されており、この欠き部３２ｄ、３２ｄに支持部材５０の軸部５３が嵌め込まれている。
【００２４】
（連結部材）
図２および図３を参照する。連結部材４０は、ガイド部材２０の上端に固定された第１部材４１と、第１部材４１の上方に位置すると共にロッド３０に挿通された第２部材４２と、第１部材４１と第２部材４２とを連結しているばね４４と、第２部材４２をロッド３０に向かって付勢し第２部材４２をロッド３０に固定している第３部材４３と、この第３部材４３による第２部材４２の固定を補助している補助部材４５と、を有している。なお、本実施形態においては、ガイド部材２０に固定された第１部材４１をガイド部材側連結用の部材ということができ、ロッド３０に固定された第２部材４２および第３部材４３を合わせてロッド側連結用の部材ということができる。
【００２５】
第１部材４１は、概略円柱形状を呈している。図３に示すように、第１部材４１は、第１部材本体部４１ａと、第１部材本体部４１ａの下部にあけられガイド部材２０（図２参照）が嵌め込まれた第１部材凹部４１ｂと、第１部材本体部４１ａの上端から下端側に向かった中途位置までの側部を周方向に亘って欠いた第１部材嵌合部４１ｄと、を有している。第１部材４１には、第１部材凹部４１ｂの底面に開口し第１部材本体部４１ａを上下に貫通する第１部材貫通穴４１ｅがあけられている。なお、第１部材嵌合部４１ｄは、ガイド部材側嵌合部ということもできる。
【００２６】
第１部材凹部４１ｂは、その内径がガイド部材２０の外径と大きさが同じである。第１部材凹部４１ｂに嵌め込まれたガイド部材２０は、第１部材凹部４１ｂの底面に当接している。第１部材貫通穴４１ｅの径は、ガイド部材２０の外径よりも小さく、ロッド３０（ロッド本体部３１）の外径よりも僅かに大きい。ロッド３０は、第１部材貫通穴４１ｅを通って挿入穴２１ａに挿入されている。
【００２７】
第１部材嵌合部４１ｄには、ばね４４の下端側が嵌め込まれている。第１部材嵌合部４１ｄの外径は、平面視において環状を呈するばね４４の内径と大きさが同一または僅かに大きい。第１部材本体部４１ａの中途位置より下端側（第１部材嵌合部４１ｄが形成されていない部位）は、その外径がばね４４の外径よりも大きい。これにより、第１部材嵌合部４１ｄに嵌め込まれたばね４４の下端が位置決めされる。
【００２８】
図３に示すように、第２部材４２は、第２部材本体部４２ａと、この第２部材本体部４２ａにおける下端から上端側に向かった中途位置までの側部を周方向に亘って欠いた第２部材嵌合部４２ｂと、第２部材本体部４２ａの上面から上方に向かって突出した複数の第２部材突出部４２ｃと、を有している。更に、第２部材４２には、第２部材本体部４２ａを上下に貫通する第２部材貫通穴４２ｄがあけられている。なお、第２部材嵌合部４２ｂは、ロッド側嵌合部ということもできる。
【００２９】
第２部材嵌合部４２ｂには、第１部材嵌合部４１ｄに嵌合されたばね４４の上端側が嵌め込まれている。第１部材嵌合部４１ｄおよび第２部材嵌合部４２ｂのそれぞれにばね４４が嵌め込まれていることにより、第１部材４１と第２部材４２とが連結されている。言い換えると、挿入穴２１ａに挿入されたロッド３０がガイド部材２０に連結されている、ということができる。
【００３０】
複数の第２部材突出部４２ｃの側部には、雄螺子部が形成されている。このような複数の第２部材突出部４２ｃは、例えば、６つの突出部から構成されていてもよいし、７つ以上の突出部から構成されていてもよい。複数の第２部材突出部４２ｃは、２つ以上５つ以下の突出部から構成されていてもよい。これら複数の第２部材突出部４２ｃに囲われるように、複数の第２部材突出部４２ｃの内側に補助部材４５が位置している。補助部材４５は、例えば、筒状に丸められた矩形状のゴム素材からなる部材である。
【００３１】
複数の第２部材突出部４２ｃは、その雄螺子部と螺合する第３部材４３（構成については後述する）によって補助部材４５に向かって付勢され補助部材４５と密着する。これにより、第２部材４２は、第３部材４３と共にロッド３０に固定される。第２部材貫通穴４２ｄには、ロッド３０が挿通している。第２部材貫通穴４２ｄの径は、ロッド３０の外径よりも僅かに大きい。
【００３２】
一部繰り返しになるが、ばね４４は、上下方向に沿って螺旋状に巻かれており、下端が第１部材４１の第１部材嵌合部４１ｄに嵌め込まれていると共に、上端が第２部材４２の第２部材嵌合部４２ｂに嵌め込まれている。ばね４４の大きさは任意に設定される。ばね４４の内径は、第１部材嵌合部４１ｄおよび第２部材嵌合部４２ｂの大きさと同一または僅かに小さくに設定される。これにより、嵌合されたばね４４が僅かな力によって第１部材嵌合部４１ｄおよび第２部材嵌合部４２ｂから抜けることが抑制される。ばね４４の外径は、第１部材４１および第２部材４２（第１部材嵌合部４１ｄおよび第２部材嵌合部４２ｂが形成されていない部位）の外径より小さく設定される。更に、ばね４４の長さは、例えば、３０．０ｍｍ〜７０．０ｍｍの範囲内に設定される。なお、第１部材嵌合部４１ｄおよび第２部材嵌合部４２ｂの外径は、それぞれ大きさが同一である。
【００３３】
ばね４４のばね定数は適宜設定される。例えば、ばね４４のばね定数は、演奏者Ｍｎ（図１参照）の腕に支えられた金管楽器Ｉｎ（図１参照）が金管楽器補助具１０に載置されることにより５．０ｍｍ〜３０．０ｍｍ程度ばね４４が縮むよう設定されてよい。但し、ばね４４の上記伸縮は、５．０ｍｍ以下であってもよいし、３０．０ｍｍ以上であってもよい。
【００３４】
第３部材４３には、第３部材４３の下部に第３部材凹部４３ａがあけられていると共に、この第３部材凹部４３ａの底面に開口し上下に貫通する第３部材貫通穴４３ｂがあけられている。第３部材凹部４３ａは、その内部に雌螺子部が形成されており、複数の第２部材突出部４２ｃの側部に形成された雄螺子部に螺合されている。これにより、複数の第２部材突出部４２ｃが補助部材４５側に付勢され、第２部材４２がロッド３０に固定される。第３部材貫通穴４３ｂには、ロッド３０が挿通されている。第３部材貫通穴４３ｂの径は、ロッド３０の外径よりも僅かに大きい。なお、第３部材貫通穴４３ｂの径は、第２部材貫通穴４２ｄの径と大きさが同一である。
【００３５】
（支持部材）
図２および図４を参照する。支持部材５０には、後述する凹部６０があけられており、この凹部６０内に金管楽器Ｉｎ（図１参照）のシリンダ部Ｃｙが載置される。シリンダ部Ｃｙが凹部６０内に載置されることにより、金管楽器Ｉｎ（シリンダ部Ｃｙ）が支持部材５０に支持される。本開示における「金管楽器Ｉｎを支持する」とは、演奏者Ｍｎ（図１参照）と共に金管楽器補助具１０（支持部材５０）により金管楽器Ｉｎが支えられることを意味する。更に、「シリンダを支持する」とは、シリンダ部Ｃｙが凹部６０に嵌め込まれることなく、載置されたシリンダ部Ｃｙが凹部６０内から容易に抜け出ないように支持することを意味する。このため、詳細は後述するが、シリンダ部Ｃｙが凹部６０内に載置された状態において、凹部６０の内壁６２とシリンダ部Ｃｙとの間には僅かな隙間が形成される。
【００３６】
支持部材５０は、概略立法形状を呈している。支持部材５０は、その大きさおよび材質が任意に設定される。例えば、支持部材５０は、平面視において、前後方向（長手方向）の長さは、７０．０ｍｍ〜８０．０ｍｍであって、左右方向（短手方向）の長さが２５．０〜３０．０ｍｍに設定される。支持部材５０の厚さ（上下方向）は、例えば、１０．０ｍｍ〜４０．０ｍｍに設定される。支持部材５０の材質は、樹脂または金属である。樹脂としては、アクリル樹脂およびポリアセタール等が挙げられる。金属としては、ステンレス、アルミニウム等が挙げられる。
【００３７】
図４および図５を参照する。例えば、支持部材５０は、支持部材本体部５１と、この支持部材本体部５１の上部にあけられた凹部６０と、支持部材本体部５１の外壁５１ａ（側部）から側方に突出している軸部５３と、を有している。更に、支持部材本体部５１には、シリンダ部Ｃｙが載置される載置部７０ａが凹部６０内に設けられると共に、凹部６０の底部６１を開口し支持部材本体部５１を上下に貫通する貫通穴５４があけられている。軸部５３は、前後方向における支持部材５０の中央部を左右方向（第３方向Ｌ３）に延びる中央線Ｌｃを基準として、前方側にオフセットして設けられている。これにより、金管楽器補助具１０は、重心がシリンダ部Ｃｙの中央より前方側に位置する金管楽器Ｉｎをより安定して支持できる。なお、軸部５３は、中央線Ｌｃを基準として後方側にオフセットして設けられてもよいし、中央線Ｌｃと重なって設けられてもよい。
【００３８】
（凹部）
凹部６０は、支持部材５０がロッド３０に取り付けられた状態でロッド３０の先端（上端）に対向する方向側からロッド３０（下方側）に向かってあけられている。別の観点では、凹部６０は、支持部材５０の上面から下面に向かってあけられている。凹部６０は、８０％以上の割合で支持部材５０の上面に開口してもよいし、８０％以下の割合で支持部材５０の上面に開口してもよい。凹部６０の深さは、例えば、５．０ｍｍ〜４０．０ｍｍの範囲内に設定される。
【００３９】
図４に示すように、凹部６０は、底面である底部６１と、この底部６１から上方に立ち上がり支持部材５０の上面に繋がった内壁６２と、を有している。底部６１は、平面視においてシリンダ部Ｃｙよりも大きく形成される。これにより、演奏者Ｍｎ（図１参照）は、シリンダ部Ｃｙを凹部６０の底部６１側に配置できる。
【００４０】
底部６１においては、貫通穴５４があけられた部位の周りがロッド３０側に窪んでいる。別の観点では、平面視において、底部６１はシリンダ部Ｃｙが載置される載置部７０ａに囲われた部位がロッド３０側に窪んでいる、ということができる。これにより、底が下方に膨出しているシリンダ部Ｃｙにおいても、この膨出部分が底部６１に接触する虞を軽減できる。この窪み６１ａの大きさおよび形状は任意に設定される。例えば、窪み６１ａは、平面視において、その径が１０ｍｍ以上２２ｍｍ以下に設定される。例えば、窪み６１ａの径は、後述する環状のゴム部材７０の内径と同一に設定してもよい。窪み６１ａは、平面視において円形に窪んでいてもよいし、矩形に窪んでいてもよい。
【００４１】
図５に示すように、底部６１は、平面視において円形状の底面を複数（３つ）有し、これらの底面が上下方向に直交する第２方向Ｌ２（前後方向）に沿って繋がって形成されている。なお、円形状の底面は、それぞれ直径が同一である。
【００４２】
図５に示すように、内壁６２は、平面視において円形状に湾曲する湾曲面６２ａを複数（３つ）有している。底部６１と同様に、複数の湾曲面６２ａは、それぞれ第２方向Ｌ２（前後方向）に沿って順に繋がっている。このような内壁６２は、載置部７０ａに載置されたシリンダ部Ｃｙの下部を囲うように底部から上方に向かって立ち上がっている。載置部７０ａにシリンダ部Ｃｙが載置された状態において、内壁６２とシリンダ部Ｃｙとの距離は、例えば、０．２ｍｍ以上２．０ｍｍ以下になるよう設定される。なお、内壁６２の高さは、例えば、凹部６０の深さと同一の５．０ｍｍ以上４０．０ｍｍ以下に設定される。ここで、支持部材５０は、内壁６２とシリンダ部Ｃｙとの距離が近ければより安定して金管楽器Ｉｎを支持できる。但し、内壁６２とシリンダ部Ｃｙとの距離が離れていても、内壁６２がより高ければ、支持部材５０は安定して金管楽器Ｉｎを支持できる。内壁６２とシリンダ部Ｃｙとの距離、および、内壁６２の高さの比率については適宜設定される。
【００４３】
なお、上記においては、円形状の複数の底面が繋がって形成された底部６１、および、円形状に湾曲する複数の湾曲面６２ａが繋がって形成された内壁６２によって凹部６０が構成されている例について説明した。しかしながら、凹部６０は、上記態様に限定されず、底部６１が矩形状を呈していてもよい。内壁６２は、平面視において矩形の枠形状を呈することになる。この時、内壁６２とシリンダ部Ｃｙとの距離は、シリンダ部Ｃｙにおける内壁６２に最も接近している部位と内壁６２との距離が０．２ｍｍ以上２．０ｍｍ以下となるよう設定される。
【００４４】
図４を参照する。内壁６２は、凹部６０の開口６０ａに向かって凹部６０の内径が大きくなるよう傾斜し、開口６０ａに繋がる部位を有している。
【００４５】
図４および図５を参照する。支持部材５０には、内壁６２における底部６１側の部位を周方向に沿って欠いた第１溝部６３と、凹部６０の開口６０ａと第１溝部６３との間に位置し内壁６２を周方向に沿って欠いた第２溝部６４が形成されている。第１溝部６３および/または第２溝部６４は、その全体が内壁６２（底部６１の縁）に沿って連続していてもよいし、所々で途切れていてもよい。第１溝部６３は、後述するゴム部材７０、７０が嵌め込み可能であったら如何なる形状であってもよい。なお、第２溝部６４は、例えば、上下方向に見て、１つのみ形成されていてもよいし、２つ以上形成されていてもよい。
【００４６】
支持部材５０の凹部６０内には、シリンダ部Ｃｙが載置される載置部７０ａが設けられている。図４に示すように、載置部７０ａは、２つの環状のゴム部材７０、７０の上面に形成されている。これら２つのゴム部材７０、７０は、第１溝部６３に嵌め込まれている。具体的には、２つのゴム部材７０、７０の一方側は、第１溝部６３における、後方の湾曲面６２ａ側に位置している。一方、２つのゴム部材７０、７０の他方側は、第１溝部６３における、前方の湾曲面６２ａ側に位置している。これら２つのゴム部材７０、７０は、一部が第１溝部６３内に配置され、残部が第１溝部６３からはみ出し凹部６０内に配置されている。載置部７０ａは、第１溝部６３からはみ出したゴム部材７０、７０の残部に形成されている。
【００４７】
載置部７０ａは、１つのゴム部材７０により構成されていてもよい。この場合、載置部７０ａは、１つのゴム部材７０の上面のみにより形成される。ゴム部材７０は、第１溝部６３における中央の湾曲面６２ａ側の部位に嵌め込まれる。
【００４８】
図５に示すように、支持部材５０には、凹部６０の開口６０ａと第１溝部６３との間において、内壁６２を周方向に沿って欠いた第２溝部６４が形成されている。このような第２溝部６４は、例えば、上下方向において、１つのみ形成されていてもよいし、２つ以上形成されていてもよい。なお、第２溝部６４の大きさおよび形状については、第１溝部６３の大きさおよび形状を援用してもよい。
【００４９】
図４に示すように、平面視において支持部材５０（支持部材本体部５１）の縁を構成する外壁５１ａは、同方向から見て、外壁５１ａと内壁６２との間の肉厚が均一になるよう内壁６２に沿って湾曲している。但し、平面視における外壁５１ａの形状は、これに限定されず、例えば、矩形の枠形状を呈していてもよい。このように、内壁６２が複数の湾曲面６２ａを有すると共に、平面視における外壁５１ａの形状が矩形枠である場合、外壁５１ａと内壁６２との間の肉厚は、外壁５１ａに沿って不均一になる。
【００５０】
次に、金管楽器補助具１０の組み立て方法の１つの例について説明する。
【００５１】
図２を参照する。金管楽器補助具１０の組み立ては、棒状を呈するガイド部材本体部２１の下端にキャップ２２を嵌め込むことによって、ガイド部材２０を完成させることから開始する。その後、ロッド本体部３１の上端にロッドホルダ３２を固定しロッド３０を完成させ、その上端に支持部材５０を取り付ける。そして、ガイド部材２０の上端に第１部材４１を嵌め込み、第１部材４１、第２部材４２およびばね４４にロッド３０を通す。その後、ガイド部材２０の挿入穴２１ａにロッド３０を挿入すると共に、第１部材４１および第２部材４２にばね４４を嵌め込む。これにより、金管楽器補助具１０を組み立てることができる。
【００５２】
次に、金管楽器補助具１０の作用および効果の説明をする。
【００５３】
図１および図４を参照する。金管楽器補助具１０は、例えば、演奏者Ｍｎが着座する着座部Ｃｈに配置して用いる。着座部Ｃｈに配置された金管楽器補助具１０の上端には、金管楽器Ｉｎのシリンダ部Ｃｙが載置される。具体的には、金管楽器補助具１０の上端側に設けられた支持部材５０にあけられた凹部６０内に載置される。凹部６０内では、シリンダ部Ｃｙが載置される載置部７０ａを囲うように、内壁６２が凹部６０の底部６１から立ち上がっている。これにより、金管楽器補助具１０の上端に載置されたシリンダ部Ｃｙが凹部６０内から抜ける虞が軽減される。結果、金管楽器Ｉｎが金管楽器補助具１０により支持される。よって、金管楽器補助具１０に金管楽器Ｉｎを安定して配置でき、演奏者Ｍｎの金管楽器Ｉｎを支える力を減らすことができる。
【００５４】
支持部材５０には、ロッドに取り付けられた状態でロッド３０の先端に対向する方向側から凹部６０があけられている。そして、凹部６０内には、シリンダ部Ｃｙが載置される載置部７０ａが設けられている。更に、凹部６０には、載置部７０ａに載置されるシリンダ部Ｃｙを囲うように底部６１から凹部６０の内壁６２が立ち上がっている。これらの構成により、シリンダ部Ｃｙを凹部６０内に載置するという簡単な方法によって金管楽器Ｉｎを支持できる金管楽器補助具１０の提供ができる。また、このような構成の金管楽器補助具１０においては、シリンダ部Ｃｙを凹部６０内から出すという簡単な方法によって演奏終了後の片付けに取りかかれる。更に、本開示の金管楽器補助具１０は、使用例として金管楽器補助具１０の下端を着座部Ｃｈに配置して用いる。このことから、金管楽器補助具１０を演奏者Ｍｎの首まわりに装着する必要がなく、金管楽器Ｉｎの金管楽器補助具１０への配置が容易である。これらの結果、演奏者Ｍｎによる演奏前後の手間を減らすと共に、演奏時の負担（演奏者Ｍｎへの負担）を軽減できる金管楽器補助具１０の提供ができる。
【００５５】
支持部材５０には、凹部６０の底部６１を貫通する貫通穴５４があけられている。ここで、金管楽器Ｉｎには、シリンダ部Ｃｙの底に穴があけられた金管楽器がある。このような金管楽器Ｉｎは、演奏時において、シリンダ部Ｃｙにあけられた穴から金管楽器Ｉｎ内を流れる空気が排出する。このため、凹部６０の底部６１に貫通穴５４があけられていることにより、シリンダ部Ｃｙの穴から排出された空気を凹部６０外に出すことができる。結果、金管楽器Ｉｎ内部から外部へ向かう空気の流れを阻害する虞を軽減できる。
【００５６】
内壁６２は、凹部６０の開口６０ａに向かって内径が大きくなるよう傾斜し、開口６０ａに繋がっている。凹部６０の開口６０ａ側の内径が大きくなることにより、金管楽器Ｉｎのシリンダ部Ｃｙを容易に凹部６０内に配置することができる。結果、より容易に金管楽器Ｉｎの取り付けが可能な金管楽器補助具１０の提供ができる。
【００５７】
内壁６２は、平面視において円形状に湾曲する湾曲面６２ａを複数有し、これら複数の湾曲面６２ａが第１方向Ｌ１に直交する第２方向Ｌ２側に沿って繋がっている。これにより、シリンダ部Ｃｙが複数の円柱体から構成される場合においても、それら複数の円柱体の外表面（外表面の底側）を内壁６２が囲うことができる。結果、金管楽器Ｉｎをより確実に支持できる金管楽器補助具１０の提供ができる。即ち、金管楽器Ｉｎの演奏をより確実に補助できる金管楽器補助具１０の提供ができる。
【００５８】
支持部材５０には、内壁６２における底部６１側の部位を周方向に沿って欠いた第１溝部６３が形成されていると共に、環状のゴム部材７０が第１溝部６３に嵌め込まれている。更に、載置部７０ａは、ゴム部材７０の表面に形成されている。これらにより、第１溝部６３に嵌められることによって位置決めされたゴム部材７０に金管楽器Ｉｎが載置されることになる。金管楽器Ｉｎがゴム部材７０に載置されることで、金管楽器Ｉｎへの負荷が軽減される。よって、金管楽器Ｉｎへの負荷を軽減できる金管楽器補助具１０の提供ができる。
【００５９】
更に、載置部７０ａを構成するゴム部材は、環状を呈している。ここで、金管楽器Ｉｎにおいては、演奏者Ｍｎが金管楽器Ｉｎに接触させた唇を振動させ、その振動を伝えることにより音を発生させる。ここで、載置部７０ａを構成するゴム部材が環状を呈していることにより、シリンダ部Ｃｙと載置部７０ａとの接触面積を減らすことができる。これにより、演奏時において、演奏者Ｍｎから金管楽器Ｉｎに伝わる振動が衰弱する虞を軽減できる金管楽器補助具１０の提供ができる。
【００６０】
支持部材５０には、凹部６０の開口６０ａと第１溝部６３との間において、内壁６２を周方向に沿って欠いた第２溝部６４が形成されている。これにより、金管楽器Ｉｎの振動が空気に伝わり、その空気の振動が内壁６２を介してシリンダ部Ｃｙ側に反射される場合において、このシリンダ部Ｃｙ側に反射される空気の振動を弱めることができる。
【００６１】
ガイド部材２０およびロッド３０は、それぞれ樹脂から構成されている。これにより、ガイド部材２０およびロッド３０が金属から形成されている場合と比べ、金管楽器補助具１０は軽くなる。例えば、金管楽器Ｉｎの演奏者Ｍｎにおいては、演奏会に出席するために遠方へ移動することがある。このような場合を考慮した、演奏者Ｍｎの持ち運びが容易な金管楽器補助具１０の提供ができる。
【００６２】
図２および図３を参照する。連結部材４０は、ガイド部材２０の先端に固定される第１部材４１と、この第１部材４１に対向しロッド３０に固定される第２部材４２と、これら第１部材４１および第２部材４２に嵌め込まれ第１部材４１および前記第２部材４２を繋ぐと共に第１方向Ｌ１に伸縮するばね４４と、を有している。これにより、ガイド部材２０およびロッド３０は、ばね４４を介して連結されることになる。ばね４４が第１方向Ｌ１に伸縮できることによって、金管楽器Ｉｎから支持部材５０に加わる力の強さによりロッド３０が第１方向Ｌ１に沿って変位可能になる。結果、演奏者Ｍｎ（図１参照）が快適に金管楽器Ｉｎを演奏ができる金管楽器補助具１０の提供ができる。
【００６３】
［第２実施形態］
図６を参照する。図６には、本開示の第２実施形態による金管楽器補助具１０Ａの断面図が示されている。図６の金管楽器補助具１０Ａは、上記図２に対応して示されている。第２実施形態の金管楽器補助具１０Ａは、第１実施形態との関係において、連結部材４０Ａが異なっている。その他の具体的な構造については、第１実施形態の金管楽器補助具１０と共通する。第１実施形態と共通する部分については、符号を流用すると共に詳細な説明を省略する。
【００６４】
（金管楽器補助具）
金管楽器補助具１０Ａは、上下方向に延びる概略棒形状を呈すると共に、その長さを所定範囲内において自由に変えることができる構造になっている。金管楽器補助具１０Ａにおいては、後述する連結部材４０Ａを介してガイド部材２０にロッド３０が固定される。連結部材４０Ａにより、ロッド３０の挿入穴２１ａに沿ったロッド３０の移動が制限（抑止）される。以下、連結部材４０Ａの説明をする。
【００６５】
（連結部材）
図６および図７を参照する。連結部材４０Ａは、ガイド部材２０の上端に固定された第１部材４１Ａと、第１部材４１Ａの上方に位置すると共にロッド３０に挿通され第１部材４１Ａをロッド３０側に付勢している第２部材４２Ａと、この第１部材４１Ａとロッド３０との間に位置する補助部材４５と、を有している。なお、本実施形態においては、ガイド部材２０に固定された第１部材４１Ａをガイド部材側連結用の部材ということができ、ロッド３０に挿通された第２部材４２Ａをロッド側連結用の部材ということができる。本実施形態による連結部材４０Ａは、これら第１部材４１Ａ、第２部材４２Ａおよび補助部材４５によりロッド３０をガイド部材２０に連結（固定）している。
【００６６】
図７に示すように、第１部材４１Ａは、第１部材本体部４１ａと、第１部材本体部４１ａの下部にあけられガイド部材２０が嵌め込まれた第１部材凹部４１ｂと、第１部材本体部４１ａの上面から上方に突出した複数の第１部材突出部４１Ａｃと、を有している。第１部材４１Ａには、第１部材凹部４１ｂの底面に開口し第１部材本体部４１ａを上下に貫通する第１部材貫通穴４１ｅがあけられている。
【００６７】
複数の第１部材突出部４１Ａｃの側部には、雄螺子部が形成されている。このような複数の第１部材突出部４１Ａｃは、例えば、６つの突出部から構成されていてもよいし、７つ以上の突出部から構成されていてもよい。複数の第１部材突出部４１Ａｃは、２つ以上５つ以下の突出部から構成されていてもよい。補助部材４５は、これら複数の第１部材突出部４１Ａｃの内側に位置し、複数の第１部材突出部４１Ａｃに囲われている。
【００６８】
図７に示すように、第２部材４２Ａには、第２部材４２Ａの下部に第２部材凹部４２Ａｅがあけられると共に、この第２部材凹部４２Ａｅの底面に開口し上下に貫通する第２部材貫通穴４２Ａｄが形成されている。第２部材凹部４２Ａｅは、内部に雌螺子部が形成されており、複数の第１部材突出部４１Ａｃの側部に形成された雄螺子部と螺合している。これにより、複数の第１部材突出部４１Ａｃが補助部材４５側に付勢され、ロッド３０がガイド部材２０に固定される。
【００６９】
次に、金管楽器補助具１０Ａの組み立て方法における１つの例について説明する。
【００７０】
金管楽器補助具１０Ａの組み立ては、棒状を呈するガイド部材本体部２１の下端にキャップ２２を嵌め込むことによって、ガイド部材２０を完成させることから開始する。その後、ガイド部材２０の上端に第１部材４１Ａを固定すると共に、ロッド本体部３１の上端に支持部材５０を取り付けロッド３０を完成させる。完成したロッド３０には、第２部材４２Ａを挿通させる。そして、ロッド３０を挿入穴２１ａに挿入した後、第１部材４１Ａと第２部材４２Ａとを螺合させる。これにより、金管楽器補助具１０Ａを組み立てることができる。
【００７１】
本実施形態による連結部材４０Ａは、ガイド部材２０の先端に固定される第１部材４１Ａを有している。更に、連結部材４０Ａは、第１部材４１Ａをロッド３０に向かって付勢することにより、ロッド３０をガイド部材２０に固定する第２部材４２Ａを有している。これらにより、ガイド部材２０にロッド３０を固定することができる。結果、ロッド３０が上下に変位しない金管楽器補助具１０Ａの提供ができる。
【００７２】
［第３実施形態］
図８を参照する。図８には、本開示の第３実施形態による金管楽器補助具１０Ｂの断面図が示されている。図８の金管楽器補助具１０Ｂは、上記図２に対応して示されている。第３実施形態の金管楽器補助具１０Ｂは、第１実施形態との関係において、連結部材４０Ｂが螺子あることが異なっている。更に、被挿入部材８１Ｂ、第１弾性部材８２Ｂおよび第２弾性部材８３Ｂを金管楽器補助具１０Ｂが有していることが異なっている。その他の具体的な構成については、第３実施形態の金管楽器補助具１０Ｂと共通する。第１実施形態と共通する部分については、符号を流用すると共に詳細な説明を省略する。
【００７３】
（金管楽器補助具）
図８に示すように、金管楽器補助具１０Ｂは、上下方向に沿って挿入穴２１ａがあけられたガイド部材２０Ｂと、挿入穴２１ａに挿入されたロッド３０Ｂと、これらロッド３０Ｂおよびガイド部材２０Ｂを連結している螺子である連結部材４０Ｂと、ロッド３０Ｂの上端に回転可能に支持された支持部材５０と、ガイド部材２０Ｂの下端（他端）側が挿入された第２挿入穴８１Ｂｃがあけられている被挿入部材８１Ｂと、これらガイド部材２０Ｂおよび被挿入部材８１Ｂに挟まれガイド部材２０Ｂが第２挿入穴８１Ｂｃの底に向かう移動を制限する第１弾性部材８２Ｂと、ガイド部材２０Ｂが第２挿入穴８１Ｂｃから抜けることを防止する第２弾性部材８３Ｂと、を有している。
【００７４】
（ガイド部材および連結部材）
図８に示すように、ガイド部材２０Ｂには、側部が周方向に亘って突出したガイド部材肉厚部２３Ｂが形成されると共に、このガイド部材肉厚部２３Ｂから挿入穴２１ａまで貫通する螺子穴があけられている。螺子穴には、連結部材４０Ｂ（螺子４０Ｂ）が捻じ込まれている。螺子穴に捻じ込まれた螺子４０Ｂは、挿入穴２１ａに挿入されたロッド３０Ｂを挿入穴２１ａの内側からロッド３０Ｂに向かって付勢している。これにより、ロッド３０Ｂがガイド部材２０Ｂに固定される。ロッド３０Ｂおよびガイド部材２０Ｂは、その材質に金属が採用される。これにより、ロッド３０Ｂおよびガイド部材２０Ｂの耐久性を向上でき、螺子４０Ｂによりロッド３０Ｂとガイド部材２０Ｂとをより強く連結できる。なお、ロッド３０Ｂおよびガイド部材２０Ｂに採用される金属の説明は、第１実施形態での説明を援用できる。なお、本実施形態のガイド部材２０Ｂは、第１実施形態のキャップ２２を有しておらず、その全体が上下に延びる概略筒形状を呈している。
【００７５】
（ロッド）
ロッド３０Ｂは、上下に延び上端側に雄螺子部を有するロッド本体部３１Ｂと、雌螺子部を有しロッド本体部３１Ｂに螺合されたロッドホルダ３２Ｂと、を有している。
【００７６】
（被挿入部材）
図８に示すように、被挿入部材８１Ｂは、棒状を呈する被挿入部材本体部８１Ｂａと、この被挿入部材本体部８１Ｂａの下端に嵌め込まれたキャップ８１Ｂｂと、を有している。被挿入部材本体部８１Ｂａには、上端から下端に向かって第２挿入穴８１Ｂｃがあけられていると共に、その側部が周方向に亘って突出した被挿入部材肉厚部８１Ｂｄが形成されている。更に、被挿入部材本体部８１Ｂａは、被挿入部材肉厚部８１Ｂｄから側方に突起する被挿入部材突起部８１Ｂｅを有している。被挿入部材肉厚部８１Ｂｄには、平面視において螺子４０Ｂが捻じ込まれた箇所と重なった部位から側方に突起する被挿入部材突起部８１Ｂｅが形成されている。被挿入部材突起部８１Ｂｅおよび螺子４０Ｂは、ゴム部材からなる第２弾性部材８３Ｂにより結ばれる。キャップ８１Ｂｂの説明については、第１実施形態におけるキャップ２２の説明を援用できる。
【００７７】
（第１弾性部材および第２弾性部材）
図８に示すように、第１弾性部材８２Ｂは、上下方向に沿って螺旋状に巻かれたばねであって、棒状を呈するガイド部材２０Ｂに挿通されている。平面視において環状を呈する第１弾性部材８２Ｂの内径は、ガイド部材２０Ｂの外径よりも僅かに大きい。但し、第１弾性部材８２Ｂの内径は、ガイド部材肉厚部２３Ｂの外径よりも小さい。なお、第１弾性部材８２Ｂのばね定数の説明は、第１実施形態で説明したばね４４の説明を援用できる。
【００７８】
第１弾性部材８２Ｂは、下端が被挿入部材肉厚部８１Ｂｄに当接し、上端がガイド部材肉厚部２３Ｂに当接している。これにより、第１弾性部材８２Ｂは、ガイド部材肉厚部２３Ｂおよび被挿入部材肉厚部８１Ｂｄに挟まれ、金管楽器Ｉｎ（図１参照）が支持部材５０に載置されることにより上下方向に伸縮可能となる。
【００７９】
第２弾性部材８３Ｂは、上方側が螺子４０Ｂに連結され下方側が被挿入部材突起部８１Ｂｅに連結されたゴムである。金管楽器補助具１０Ｂが第２弾性部材８３Ｂを有することにより、第２挿入穴８１Ｂｃからガイド部材２０Ｂが抜けることが防止される。
【００８０】
次に、金管楽器補助具１０Ｂの組み立て方法における１つの例について説明する。
【００８１】
金管楽器補助具１０Ｂの組み立ては、棒状を呈するロッド本体部３１の上端に支持部材５０を取り付け、ロッド３０Ｂを完成させることから開始する。その後、ロッド３０Ｂをガイド部材２０Ｂの挿入穴２１ａに挿入し、連結部材４０Ｂ（螺子４０Ｂ）によってロッド３０Ｂとガイド部材２０Ｂとを連結（固定）する。ロッド３０Ｂとガイド部材２０Ｂとを連結したら、第１弾性部材８２Ｂをガイド部材２０Ｂに通し、その状態でガイド部材２０Ｂを被挿入部材８１Ｂの第２挿入穴８１Ｂｃに挿入する。その後、ゴムである第２弾性部材８３Ｂによりガイド部材２０Ｂと被挿入部材８１Ｂとを連結する。これにより、金管楽器補助具１０Ｂを組み立てることができる。
【００８２】
本開示の金管楽器補助具は、その作用および効果を奏する範囲内において、上記に記載した実施形態に限定されない。以下、金管楽器補助具の構成が変形された例を幾つか紹介する。
【００８３】
上記実施形態の金管楽器補助具においては、支持部材のストッパ機能を有するロッドについて説明した。しかしながら、ロッドは、支持部材のストッパ機能を有していなくてもよい。即ち、ロッドは、支持部材の回転範囲を制限しないよう、支持部材が回転した際に支持部材と非接触の形状とされてもよい。
【００８４】
また、上記実施形態の金管楽器補助具においては、３つの筒体からなるシリンダ部が支持部材の凹部内に載置される例について説明した。しかしながら、例えば、金管楽器補助具には、４つの筒体からなるシリンダ部が支持部材の凹部内に載置されてもよい。この場合、凹部は、それぞれ繋がった４つの円形状の底面からなる底部、および、平面視において繋がった４つの円形状の湾曲面からなる内壁を有していてもよい。更には、凹部（支持部材）は、トランペット以外の金管楽器の一部が配置され、その金管楽器を支持してもよい。なお、凹部は、その内壁の一部にスリット（切り欠き部）が形成されていてもよい。
【００８５】
更に、上記実施形態においては、ゴム部材が凹部内に設けられることによりシリンダ部が載置される載置部が形成される例について説明した。しかしながら、載置部は、例えば、支持部材にあけられた凹部の底部であってもよいし、支持部材を構成する一部であって底部から上方に向かった突起であってもよい。
【００８６】
また、上記実施形態においては、金管楽器補助具の下端が演奏者の着座する着座部に載置される例について説明した。しかしながら、金管楽器補助具は、必ずしも下端が着座部に載置される必要はない。例えば、金管楽器補助具においては、演奏者が腰回りに装着するベルトと連結させることにより、金管楽器を支持可能とした構成にしてもよい。
【符号の説明】
【００８７】
１０、１０Ａ、１０Ｂ…金管楽器補助具
２０、２０Ｂ…ガイド部材
２１ａ…挿入穴
３０、３０Ｂ…ロッド
４０、４０Ａ、４０Ｂ…連結部材
４１、４１Ａ…第１部材
４２、４１Ａ…第２部材
４４…ばね
４５…補助部材
５０…支持部材
５４…貫通穴
６０…凹部
６０ａ…開口
６１…底部
６２…内壁
６３…第１溝部
６４…第２溝部
Ｃｈ…着座部
Ｃｙ…シリンダ部
Ｉｎ…金管楽器
Ｍｎ…演奏者 
【図１】
0003228598.tif 000003
【図２】
0003228598.tif 000004
【図３】
0003228598.tif 000005
【図４】
0003228598.tif 000006
【図５】
0003228598.tif 000007
【図６】
0003228598.tif 000008
【図７】
0003228598.tif 000009
【図８】
0003228598.tif 000010